Podtech/llm-jp-corpus-v4-ja_patent huggingface dataset:
(57)【要約】      （修正有）【課題】基準ローラの面上を搬送されるフィルムの表面の位置を検知する方式の、従来のフィルム厚さ計では、基準ローラの自重による撓み、軸受けでの軸の沈みが測定誤差の大きな要因であり、精度向上のネックである。【解決手段】基準ローラ１上を搬送されるフィルムの厚さを測る装置であって、基準ローラ１の真横又はその付近で、垂直、又は垂直から６０度以下の角度でビームをフィルム表面に当て、その遮光量の変化を測るフィルム厚さ計である。【選択図】図２
2011016654.tif 000002
【特許請求の範囲】
【請求項１】
基準ローラ上を搬送されるフィルムの厚さを測る装置であって、基準ローラの真横又はその付近で、垂直、又は垂直から６０度以下の角度でビームをフィルム表面に当て、その遮光量の変化を測るフィルム厚さ計。
【発明の詳細な説明】
【技術分野】
【０００１】  本発明は走行しているプラスチックフィルム及び紙等のシート状物体の厚さを測るための装置に関する。
【背景技術】
【０００２】  基準ローラ上を搬送されるフィルムの厚さを測る装置では基準ローラ自身の撓みや軸自身のベアリングでの沈みが測定誤差として無視できない。【０００３】  本発明に関連する公知技術として次の特許文献１及び非特許文献１を挙げることが出来る。【０００４】
【特許文献１】    特許公開平６−２５８０６５
【非特許資料１】
「ホームページ」、ｈｔｔｐ：／／ｗｗｗ．ｙａｍａｂｕｎ−ｅｌｅ．ｃｏ．ｊｐ／ｊｐ／ｐｒｏｄｕｃｔ／ｎｓｍｒｆ．ｈｔｍｌ
【発明の開示】
【発明が解決しようとする課題】
【０００５】  従来法では、基準ローラの自重による下方への撓み、ベアリングでの軸の沈みによる誤差が測定精度を悪くしている。
【問題を解決する為の手段】
【０００６】  本発明は誤差の大きな要因を取り除くべく鋭意研究の結果として以下の発明を提案するに至った。
請求項１の発明は、基準ローラ上を搬送されるフィルムの厚さを測る装置であって、基準ローラの真横又はその付近で、垂直、又は垂直から６０度以下の角度でビームをフィルム表面に当て、その遮光量の変化を測るフィルム厚さ計である。
【発明の効果】
【０００７】  以上説明したように本発明によれば下方への基準ローラの撓み、軸の沈みによる誤差を、ビームが垂直のときはゼロに、斜めの時にはゼロにはならないが少なくすることが出来る。
【０００８】
2011016654.tif 000003
になる。
【発明を実施するための最良の形態】
【０００９】  以下に本発明の実施の形態を図面に基づき詳細に説明する。【００１０】  図１は従来の方法の検出部の斜視図である。図２は本発明の説明図、図３は制御盤の斜視図、図４は応用例、図５は厚さ（プロフィール）記録の実例を示す。【００１１】  図１を参照して、基準ローラ１に沿ってフィルム５が矢印の方向に搬送されている。基準ローラ１の上方にはフィルム５の表面の位置を遮光量の変化で検出するための投光・受光式の検出器２、及び基準ローラ１の金属表面の位置を検出するための渦電流式変位計３が配置されている。二つの検出器は基準ローラ１の軸方向に延びる単軸ロボット４によって走査される。【００１２】  前述したような課題を解決するため、図２のように投光器２ａ、受光器２ｂを上下に配置し、ビーム２ｃを垂直に投射し、渦電流式変位計３は横向きに取り付けた。【００１３】  水平方向には自重による基準ローラ１の撓み、軸の沈みは無いので測定精度（バラツキ）は大幅に改善された。従来法で±２０μｍのバラツキのある装置で±４μｍになった。【００１４】  実施例では基準ローラ１の直径は６０ｍｍ、幅は１ｍ、材質はアルミで、表面は研磨してクロムメッキしてある。【００１５】  以上の一連のシークエンスの制御は図３の制御盤で行われる。大きさは実施例ではＷ５００ｍｍ×Ｈ６００ｍｍ×Ｄ３００ｍｍである。扉の表面にはペーパーレス記録計７、厚さ現在値を表示する表示器８を取り付け、その他押しボタン、表示灯も図示してないが取り付けられている。【００１６】  制御盤内に収納されている主な計器はロボットコントローラ１台、光学式厚さ計アンプ１台、渦電流式変位計アンプ１台、ノーフューズブレーカ、ノイズフィルタ、直流電源各１個、等々である。【００１７】  フィルム５の厚さ（プロフィール）記録の実例を図５に示す。【００１８】  図４は応用例で、Ｔダイ１０から押し出されたシート状ポリマー１１の厚さを冷却ローラ１２の面上で測る場合である。冷却ローラ１２の中には水が流れており相当な重量である。
このような場合でもローラの下向きの撓み、沈みに関係なく厚さを測ることが出来る。
当然であるが検出部の耐熱対策は必要である。
【図面の簡単な説明】
【００１９】
【図１】  従来法のフィルム厚さ計の検出部の斜視図を示す。
【図２】  本発明の実施の形態に係るフィルム厚さ計の側面図である。
【図３】  制御盤の斜視図である。
【図４】  応用例の側面図である。
【図５】  厚さ（プロフィール）記録の実例を示す。
【符号の説明】
【００２０】  １                  基準ローラ
２                  検出器
２ａ                投光器
２ｂ                受光器
２ｃ                ビーム
３                  渦電流式変位計
４                  単軸ロボット
５                  フィルム
７                  ペーパーレス記録計
８                  厚さ現在値表示器
９                  ハンドル
１０                Ｔダイ
１１                シート状ポリマー
１２                冷却ロール
１３、１４          ニップローラ
【図１】
2011016654.tif 000004
【図２】
2011016654.tif 000005
【図３】
2011016654.tif 000006
【図４】
2011016654.tif 000007
【図５】
2011016654.tif 000008
(57)【要約】【課題】  従来までの車のシートは、背もたれ（２）部分の角度が変わるだけでシートに座る人の身長にあったシートアレンジが困難だった。このシートは、シートに座る人の身長差を問わず、安全かつ適切な着座位置の調節ができる背もたれ調節レバー（４）を設けた車のシートを提供する。【解決手段】  従来の車のシートにシートの背もたれ（２）が前後できる調節レバー（４）を設けることにより、シートに座った人の身長に合わせた安全性の高い姿勢でシートに座ることができるシートを特徴とする【選択図】図１
2011016511.tif 000002
【特許請求の範囲】
【請求項１】
背もたれ（２）がリクライニングする車のシートにおいて、背もたれ（２）をリクライニングさせるレバー（５）と共に、前後に可動できるレバー（４）を設けたことを特徴とする車のシート。
【発明の詳細な説明】
【技術分野】
【０００１】
本発明は、車のシートの背もたれ部分が前後に可動できる、背もたれ可動シートに関するものである。
【背景技術】
【０００２】
従来、車のシートの背もたれ部分は角度が変わるだけのものだった。
【先行技術文献】
【特許文献】
【０００３】
特許公開平５−１７８１３３
【発明の概要】
【発明が解決しようとする課題】
【０００４】
これは、次のような欠点があった。車のシートの背もたれの角度が変わるだけでは小柄の体型の人などは自分に合った姿勢を取りにくく、必要に応じてクッションなどを使って調整したりし、不安定な姿勢でシートに座っていたため、安全性に欠けることが多かった。本発明は、以上のような欠点をなくすためになされたものである。
【課題を解決するための手段】
【０００５】
シートの台（１）のサイドに背もたれ（２）が前後に可動するための調節レバー（４）を設ける。
本発明は、以上の構成よりなる背もたれ可動シートである。
【発明の効果】
【０００６】
背もたれが前後に可動するので、身長差に応じたシートアレンジが可能になり、安全かつ安定した姿勢でシートに座れることができる。
【図面の簡単な説明】
【０００７】
【図１】図１は、本発明の斜視図である。
【図２】図２は、本発明の側面図である。
【発明を実施するための形態】
【０００８】
シートの台（１）のサイドにある現行のシートのリクライニングレバー（５）と共に、背もたれ（２）が前後に可動できる調節レバー（４）を設けることにより、身長差に応じた安全性の高い姿勢をとることが可能になる。
【符号の説明】
【０００９】
１    シート台
２    背もたれ
３    可動部分
４    スライドレバー
５    リクライニングレバー
【図１】
2011016511.tif 000003
【図２】
2011016511.tif 000004
(57)【要約】      （修正有）【課題】世界に１枚限りの図柄絵画を提供し出来上がりは非常に美しく、今までにない特殊な審美性のある絵画を提供する。【解決手段】木板１の上に、顔料を含んだデザインとするポリエステル樹脂又はエポキシ樹脂２をのせ、その上にグラスファイバー３をのせ、その上にポリエステル樹脂４を塗り、絵の４辺を額縁が囲み、該絵と該額縁が一体となった絵画。【選択図】図１
2011016345.tif 000002
【特許請求の範囲】
【請求項１】
木板の上に、顔料を含んだデザインとするポリエステル樹脂又は、エポキシ樹脂をのせ、その上にグラスファイバーをのせ、その上にポリエステル樹脂を塗り、絵の４辺を額縁が囲み、該絵と該額縁が一体となった絵画。
【請求項２】
デザインは何色かを液状状態でかきまぜ、複雑に一定しない図形を作り、自由でランダムな図形を作る請求項（１）に記載の絵画。
【請求項３】
最上層のポリエステル樹脂を光沢を発するように磨いた請求項（１）に記載の絵画。
【発明の詳細な説明】
【技術の分野】
【０００１】  本発明は絵画に関する。
【背景技術】
【０００２】  本発明は額縁に一本のアートである、絵画を作ったものである。従来より、一般に複製による絵画が多いが、それらは、多数の枚数になる。本発明は世界に一枚限りの図柄アートであり、複製はできず、同じ物は２度できないで図柄は無尽蔵という絵画を提供する。【０００３】
【特許文献】  このようなものは全くない。
【非特許文献】  これは全く新しく、非特許文献にも全くない。
【発明の開示】
【発明が解決しようとする課題】
【０００４】  世界に１枚きりない図柄絵画を提供し出来上がりは非常に美しく、今までにない特殊な審美性のある絵画を提供する。
【課題を解決する手段】
【０００５】  本発明は、木板の上に顔料を含んだ、デザインとなる、ポリエステル樹脂又はエポキシ樹脂をのせ、その上にグラスファイバーをのせ、その上にポリエステル樹脂を塗り、絵の４辺を額縁が囲み該絵と、該額縁が一体となった絵画である。
【発明の効果】
【０００６】  今までのアートにはなく、複雑な色の絡み合いで特殊な絵画となる。照明により照らすと絶妙な色となる。これはランダムに自由に、ポリエステル樹脂又はエポキシ樹脂をかきまぜたもので、非常に自由な審美性のある絵画となる。大型、中型、小型もあり、大きな絵は、ビルの玄関等におき、光を当てると非常に美的なものとなる。
工程の最後の磨きにより、その光沢は一層増す。又同じ絵は２度と作れない唯一のものである。出来上がりは抽象画のようになる。
【発明を実現するための最良の形態】
【０００７】  一番下に木板１が来る。デザインを行うポリエステル樹脂又はエポキシ樹脂２をのせる。このポリエステル樹脂エポキシ樹脂には顔料を以って、何色かのカラーを液状状態でかきまぜ、ランダムに自由な複雑に一定しない図柄を作る。この図は、今までに見たこともないような特殊な審美性を持つ図柄となる。ポリエステル樹脂は、約１０分で固形になる。
【０００８】  その上にガラス繊維であるグラスファイバー３をのせ、含浸させグラスファイバーは樹脂をかけると透明に固まる。
【０００９】  その上にポリエステル樹脂４を塗り、磨いてツヤを出す。ポリエステル樹脂は磨くと、素晴らしい光沢を発する。
【００１０】  即ち、木板１、デザインとなるポリエステル樹脂又はエポキシ樹脂２、グラスファイバー３ポリエステル樹脂４の４層となる。
【００１１】  絵画を囲んで、額縁５が設けられる。額縁と絵は一体である。絵画と額縁が取りはずすことがなく、一体となる。額縁は絵の４辺で、絵を固定し、裏側の化粧板６に固定される。これにより、しっかりと、絵は固定され、はずれることはない。尚、図中（Ａ）は絵である。
【産業上の利用可能性】
【００１２】  家庭の居間、玄関等にもよく、特に大型のものはホテルのロビー等で照明を当てると今までにない美しさを提供し、良いであろう。今までにない、独特の特殊な美しさであり、広く、用いられると思う。
【図面の簡単な説明】
【００１３】
【図１】  ４層の部材の平面図である。
【図２】  絵の正面図である。
【図３】  額縁を示す、側面図である。
【符号の説明】
【００１４】  １．木板
２．ポリエステル樹脂又はエポキシ樹脂
３．グラスファイバー
４．ポリエステル樹脂
５．額縁
６．化粧板
Ａ．絵
【図１】
2011016345.tif 000003
【図２】
2011016345.tif 000004
【図３】
2011016345.tif 000005
(57)【要約】【課題】従来の衝突混合の塗材・工法は、２液の塗材を混合させ、高圧力で塗材を霧化し、吹き付けて塗装していた。そのため高圧力の塗装機が必要で、小面積の塗装、塗装機が搬入できない場所では塗装が困難であった。【解決手段】ポリアスパラギン酸を混入した本塗材では、一般的なスプレイ、ローラー、刷毛での塗装ができ、小面積の場所、塗装機の搬入が困難な場所でも塗装ができる。従来の衝突混合と物性は同様で薄膜化が可能になった。【選択図】なし【特許請求の範囲】
【請求項１】
ポリアスパラギン酸誘導体等を混入した衝突混合塗材の新工法。
【請求項２】
ローラーや刷毛・スプレイで塗装できる衝突混合の新工法。
【請求項３】
ポリアスパラギン酸誘導体等を混入した塗材の船舶への新工法。
【請求項４】
バスタブ等の小面積を塗装するのに適したポリアスパラギン酸誘導体等を混入した新塗材の新工法。
【発明の詳細な説明】
【技術分野】
【０００１】  本発明は、衝突混合の新工法に関する。
【背景技術】
【０００２】  一般的にいわれる衝突混合は、高圧力で塗材（ポリウレタン、発泡ウレタン、ポリウレア等）を霧化し、被塗物に吹き付ける超速乾性塗材および工法である。塗材は２液で、吹き付けガンの手前で２種類の塗材を事前に混合する。衝突混合の長所は、超速乾性、強靭な塗膜形成、厚塗りができることである。超速乾性であるため短工期で、人件費の削減が可能である。１００％リキッドであり、有害な有機溶剤は全く含有せず、ＶＯＣ規制の観点からも優れており、耐久性においても優れた工法・塗材である。衝突混合の短所は、霧化し塗装するので塗装時にミストが発生すること、ミスト発生による塗材ロスが生じること、薄膜が困難であることである。吹き付け時に高圧力の機械を使用する必要があるが、最近では従来の機械に比べ、低圧力で吹き付ける機械もある。
【発明の開示】
【発明が解決しようとする課題】
【０００３】  通常の塗料は、スプレイ、ローラー、刷毛等、多種の塗装手段で塗装することが可能である。衝突混合はスプレイでの塗装であり、ローラー、刷毛での塗装は超速乾性のため困難である。スプレイ塗装する場合、高圧力の吹き付け機械が必要である。衝突混合は、短時間での塗装・硬化、厚塗りの塗膜が特長であるが、高圧力の吹き付け機械を使用する。高圧力の吹き付け機械を使用せず、簡単に塗装が可能で、適度なポットライフ（可使時間）のある塗材・工法が求められている。特に吹き付け機械を搬入できない場所、塗装面積の小さい場所や被塗物、吹き付け時のミスト発生が問題である場所での塗装等は、ローラーや刷毛での塗装が最適である。衝突混合は、厚膜が特長であるが、用途に応じた最適な膜厚に塗装でき且つ、衝突混合の塗膜の強靭性等を確保できることが望まれている。
【課題を解決するための手段】
【０００４】  適当なポットライフがあり、ローラーや刷毛での塗装ができ、衝突混合の特長である短時間での塗装・施工が可能な塗材が米国で開発された。当該塗材は、ポリアスパラギン酸誘導体と触媒を利用し、適当なポットライフを実現した。適当なポットライフがあるため、ローラーや刷毛、通常のスプレイでの塗装が可能になった。本発明は、吹き付け機械を搬入できない場所、塗装面積が小さい場所や被塗物、吹き付け時のミストが問題になる場所で、ローラーや刷毛での塗装が可能になるポリアスパラギン酸誘導体と触媒を利用した塗材の用途の開発結果である。衝突混合の特長は厚膜であるが、適度の膜厚でも塗膜物性が良好であれば、厚膜にする必要は無い。衝突混合の膜厚は通常０．３ｍｍ以上であるが、同塗材でローラーや刷毛で塗装すれば、１０μ単位での塗装が可能である。塗膜物性が良好な膜厚は、１５０μ以上であることが望ましい。当該塗材で塗装した塗膜が強靭になる理由は、成膜メカニズムが架橋系であることに起因している。
【発明の効果】
【０００５】  衝突混合で塗装する場合、高圧力の吹き付け機械の使用が必要であった。吹き付け機械の搬入が困難な場所、塗装面積が小さい場所や被塗物、吹き付け時のミストが問題になる場所、厚膜が必要でない場合、ローラーや刷毛での塗装が可能になった。例えば、浴槽、船舶、床、などに塗装が可能である。床であれば約２時間で歩行が可能であった。【０００６】  船舶の塗装では床と同様、約２時間で硬化した。但し、完全硬化するには２４時間が必要であり、着水のタイミングは塗装後、２４時間経過後が望ましい。船舶の船底塗料用に適している理由は、航海中、停船中に貝や海草が付着しにくい添加剤を混入していることと、成膜した塗膜が緻密であること、塗膜が強靭であることと推測する。当該塗材を船舶に使用するメリットは、従来の塗材での塗装は、年に何度か船舶を陸揚げし塗装していたが、本発明では年に１度の陸揚げ塗装でも性能が維持できることである。【０００７】  バスタブの補修に当該塗材を塗装した。前述の用途と同様、約２時間で指触乾燥した。バスタブの補修は、過去から速乾性を求められていたので、短時間の塗装・硬化は家庭のバスタブ利用者、ホテル等の営利を目的とする業者にとっても非常に大きいメリットである。従来は、溶剤系の補修塗料をバスタブ等に使用していた。狭い空間での溶剤系塗料の塗装は、溶剤臭気が残存する場合が多く、溶剤を人体が吸引することで健康にも悪く又、溶剤の悪臭を感じることがあった。当該塗材は無溶剤であり、溶剤の影響は全くなく、臭気も微臭であり、過去の溶剤系の問題が解決できた。
(57)【要約】      （修正有）【課題】従来のアセチレン用切断器は、柔軟なゴムホースの部分を握るとゴムホースが切断器の重さで曲がり下に下がるため為にゴムホースを強く握っている必要があるが、握りにくかった。【解決手段】ホース口３ａを長く伸ばし、保持し易くするためにホース口をプラスチック製のツール１で両側から挟み込む。又、プラスチック製ツールとホース口の隙間でガタつかないように、横にカットしたゴムホース２をホース口に差し込む。これによって握りやすくなり、軽く保持することができる。【選択図】図３
2011016167.tif 000002
【特許請求の範囲】
【請求項１】
長く伸ばしたホース口図４の（３ａ）に、横にカットしたゴムホース図２の（２）を差し込む、それを指の形の凹が付いたプラスチック製ツール図１の（１）で両側から挟みこんで持ちやすくしたアセチレン等のガス切断器。
【発明の詳細な説明】
【技術分野】
【０００１】  本発明は、アセチレン用切断器のホース口を長く伸ばして、それをプラスチック製のツールで両側から挟みこみ、持ち易くした物である。
【背景技術】
【０００２】  従来のアセチレン用切断器は、ホース口が短い為に、使用時はゴムホースを強く握って、作業をしていた。
【発明の概要】
【発明が解決しようとする課題】
【０００３】  図５は、従来のアセチレン切断器一式である。
図５において、ホース口（３ｂ）にゴムホース（２ｂ）を差し込んで取り付けている。
これには次のような欠点があった。
使用時において、ホース口（３ｂ）が４ｃｍと短いために、ゴムホース（２ｂ）を握ることになる。
すると切断器（４）の重さで、ゴムホース（２ｂ）が曲がって下に下がろうとした。
又、握る力を緩めるとガス切断器本体がブレて、切断している位置がズレた。
これらを防ぐ為に、強く握っている必要があった。
この状態で、毎日作業していると、指、腕、肩、等の痛みやシビレ、そして腱鞘炎等、身体の不調になった。本発明は、以上のような欠点を無くすものである。
【課題を解決するための手段】
【０００４】  従来のホース口図５の（３ｂ）を、図４のホース口（３ａ）のように長く伸ばす。
その、伸ばした部分を、図１のプラスチック製のツール（１）で両側から挟みこむ。
又、挟み込んだ時に、ホース口（３ａ）とプラスチック製ツール（１）の隙間でガタつかないように、図２のゴムホース（２ａ）のように、横にカットして、ホース口（３ａ）に差し込むものである。
【発明の効果】
【０００５】  本発明は、従来からの不具合を解決する為に、図１と図２、図３、図４、で説明する。
図４は、ホース口２本の長さを１３ｃｍと長く伸ばした為、ゴムホースのように曲がって、下に下がる事は無い。
図１は，更に持ち易くする為のプラスチック製のツールであり，ホース口（３ａ）を両側から挟み込む物である。
更に、このツールには、指の形の凹が付いているので握るちからを緩めても、ガス切断器が滑ってブレる事はない。したがって、火炎の向きもズレたりしない。
図２は図１のプラスチック製ツールで、ホース口図４の（３ａ）を挟み込んだ時に、ツールとホース口との隙間で、ガタ付かない様に、ゴムホースを横にカットして、ホース口（３ａ）に差込む物である。
図３は長く伸ばしたホース口図４の（３ａ）に、横にカットしたゴムホース図２の（２ａ）を差し込みそれを，プラスチック製ツール図１の（１）で両側から挟み込み込んで，持ち易くしたものである。【０００６】  上述したように、本発明のアセチレン用切断器は、従来の柔軟なゴムホースを握る事と違い、長く伸ばしたホース口を、プラスチック製のツールで保持するだけで良いので、握る力が極端に軽減され、指、腕、肩などの、痛みや、シビレ、そして腱鞘炎等、身体の不調はなく、毎日使用しても健全に作業が出来るものである。
【図面の簡単な説明】
【０００７】
【図１】本発明、図４のホース口（３ａ）に横にカットしたゴムホース図２の（２ａ）を差し込んだ物を両側から挟み込むための、プラスチック製のツールである。
【図２】本発明、図４のホース口（３ａ）に差し込むための、横長にカットした、ゴムホースである。
【図３】本発明のプラスチック製のツール（１）と、横長にカットしたゴムホース（２ａ）と、長く伸ばしたホース口（３ａ）の、全てを取り付けて持ち易くしたものである。
【図４】本発明の長く伸ばしたホース口（３ａ）である。
【図５】従来のガス切断器一式で、ホース口（３ｂ）が短い物である。
【発明を実施するための形態】
【０００８】  以下、本発明の実施の形態について説明する。
【０００９】  図４の長く伸ばしたホース口（３ａ）に、図２の横長にカットしたゴムホース（２ａ）を差し込み、それを、図１の（１）のプラスチック製ツールで、両側から挟みこむ。
これらを、全て組付けたのが図３である。
【００１０】  以下、上記構造の使用状態を説明する。
従来の短いホース口図５の（３ｂ）を、図４の（３ａ）のようにホース口を長く伸ばした所を保持するこれは、従来のように、ゴムホースを握る事と違い、切断器の重さで曲がって下がることはない。
したがって、強く握っている必要が無く、ガス切断器を軽く保持するだけでよい。
【００１１】  さらに、図１のプラスチック製ツール（１）には、指の形の凹が付いているので、軽く握ってもガス切断器が滑ってブレる事が無い、したがって、火炎の向きも切断ヵ所もズレる事はない。
【符号の説明】
【００１２】  １  プラスチック製のツール
２ａ  横にカットしたゴムホース
２ｂ  従来のゴムホース
３ａ  長く伸ばしたホース口
３ｂ  従来のホース口
４  ガス切断器
【図１】
2011016167.tif 000003
【図２】
2011016167.tif 000004
【図３】
2011016167.tif 000005
【図４】
2011016167.tif 000006
【図５】
2011016167.tif 000007
(57)【要約】【課題】  家庭でのテレビやステレオを使用する場合、無線イヤホーンを今までにない低価格で実現することが目的である。【解決手段】  そこで、市販されているＦＭトランスミッターという商品に注目してみる。ＦＭトランスミッターは、本来、自動車用品でＦＭラジオさえあれば携帯型ＣＤプレイヤーやＭＤプレイヤー及びミュージックプレイヤーの音声がＦＭトランスミッターを通して聴ける物である。このＦＭトランスミッターを家庭内で使用することに置き換えると、テレビやステレオのヘッドホーン端子にＦＭトランスミッターのピンジャックを差し込むことで、低コストで携帯型ＦＭラジオが受信機となり無線イヤホーンが実現できます。【選択図】図１
2011139416.tif 000002
【特許請求の範囲】
【請求項１】
電源供給にＡＣアダプター等を接続する直流の接続端子を持ち、入力にはピンジャックを備える事を特徴とするＦＭトランスミッターで、携帯型ＦＭラジオが受信機となる無線イヤホーン支援機である。
【発明の詳細な説明】
【発明の詳細な説明】
【産業上の利用分野】
【０００１】  この発明は、携帯型ＦＭラジオ用無線イヤホーン支援機に関するものである。
【背景技術】
【０００２】  従来、無線イヤホーンは、元々高価なデジタル無線方式やテレビやステレオでは一般的でないＢｌｕｅｔｏｏｔｈ技術の物が主流で発信機側と受信機側双方に専用のハードウェアーが必要でイヤホーン以外付加価値もなく価格も高価である。その上、複数台での利用は見当たりません。
【発明が解決しようとする課題】
【０００３】  この発明は、家庭でのテレビやステレオを使用する場合、今までにない低コストで無線イヤホーンを実現することが目的である。
【課題を解決するための手段】
【０００４】  そこで、市販されているＦＭトランスミッターという商品に注目してみる。ＦＭトランスミッターは、本来、自動車用品でＦＭラジオさえあれば携帯型ＣＤプレイヤーやＭＤプレイヤー及びミュージックプレイヤーの音声がＦＭトランスミッターを通して聴ける物である。このＦＭトランスミッターを家庭内で使用することに置き換えると、テレビやステレオのヘッドホーン端子にＦＭトランスミッターのピンジャックを差し込むことで、携帯型ＦＭラジオが受信機となり、今までにない低コストで無線イヤホーンが実現できると考えたのである。
【発明を実施するための形態】
【０００５】  本発明は、基本的にＦＭトランスミッターであり、入力にはピンジャックの物で電源については家庭で一般的なＡＣアダプター（ＤＣ−１２Ｖ）を接続して説明する（図１）。これは、シガーライターの接続端子がＤＣ−１２Ｖ用のためで、一般的なＦＭトランスミッターの内部回路をそのまま利用するためである。尚、電源供給の方法については、本発明品が家庭内での使用が前提なので一般家庭で供給できるものなら全てが可能な為、これを指定するものではない。
まず、代表的なテレビの利用時で説明をします。ＦＭトランスミッターのピンジャックは、テレビのヘッドホーン端子に差し込み、電源部はＡＣアダプターに変換しコンセントに差し込みます。そして、携帯型ＦＭラジオの周波数を合わせれば利用できます。その結果、低価格な無線イヤホーンが実現できるわけです。基本的に『無線イヤホーン支援機』は、ＦＭトランスミッターですが仕様と使用目的がこれまでと全く違うのです。現行のＦＭトランスミッターの一部改良で開発・製造できるメリットがありますし、このシステムではＦＭ電波を利用するためトランスミッター１台につき受信機は何台でも利用できる為、コンピューターゲームの対戦ゲームなどに対応できます。（図２）
また、近年においては、大画面テレビや小型・軽量・高音質のＦＭチューナー付きミュージックプレイヤーの出現で、よりその利用価値が高まりました。
【発明の効果】
【０００６】以上の説明をしたとおり、本発明では次のような効果がある。
今までにない低コストで無線イヤホーンを利用できる。
ＦＭ電波なので１台の発信機で複数の人が利用できる。
ＦＭチューナー付きミュージックプレイヤーをお持ちの方は、より高音質で利用できる。
テレビの音声が消えないヘッドホーンジャックが用意されているモデルでは、耳の遠い方に使用して頂けば好みの音量で利用でき周囲に迷惑をかません。
【図面の簡単な説明】
【図１】  本発明の全体図である。
【図２】  本発明の使用例である。
【符号の説明】１  ヘッドホーン端子
２  テレビ
３  ピンジャック
４  ＡＣアダプター
５  ＦＭトランスミッター
６  携帯型ＦＭラジオ
７  ＦＭラジオ装着者
【図１】
2011139416.tif 000003
【図２】
2011139416.tif 000004
(57)【要約】【課題】  調理中、菜箸やお玉などの調理器具を仮置きしたいときに、調理台に直接置くと、調理台が汚れる。皿などの食器に置くと、皿などの食器を使用することにより洗い物が増え、手間である。そして皿などを置くスペースも必要になる。【解決手段】  挟持部を要する台座を設け、台座の上方に脚部を設け、その上部に支持部を設け、支持部の中央部は下側へ湾曲し、支持部と平行になるよう保持部を設け、保持部の中央部は上側へ湾曲し、保持部は支持部よりも高い位置に設ける。【選択図】図２
2011139880.tif 000002
【特許請求の範囲】
【請求項１】
挟持部を要する台座を設け、台座の上方に脚部を設け、その上部に支持部を設け、支持部の中央部は下側へ湾曲し、支持部と平行になるよう保持部を設け、保持部の中央部は上側へ湾曲し、保持部は支持部よりも高い位置に設けられている調理器具置き器。
【発明の詳細な説明】
【技術分野】
【０００１】  本発明は、鍋のふたのつまみ部に装着し、菜箸やお玉などの調理器具を仮置きするための調理器具置き器に関する。
【背景技術】
【０００２】  従来、菜箸やお玉などの調理器具は、調理中の仮置き場所として、調理台や皿などに置かれていた。
なお、お玉を置く先行技術として、お玉の先端を器の突起に引っかけて立てる器具が知られている（特許文献１参照）。
【先行技術文献】
【０００３】
【特許文献１】  特開２００７−１３５７４１号公報
【発明の概要】
【発明が解決しようとする課題】
【０００４】  調理中、菜箸やお玉などの調理器具を仮置きしたいときに、調理台に直接置くと、調理台が汚れ、拭き取らなければならない。皿などの食器に置くと、皿などの食器が汚れ、洗い物が増え、手間である。そして皿などを置くスペースも必要になる。
本発明は、以上の問題点を解決するためになされたものである。
【課題を解決するための手段】
【０００５】  台座のＶ字形状からなる挟持部を鍋のふたのつまみ部に装着し、台座の上方に設けた支持部に菜箸やお玉などの調理器具を載せ、保持部により調理器具を押さえる。
【発明の効果】
【０００６】  本発明は、調理中に菜箸やお玉などの調理器具を仮置きする場所を提供でき、調理台や皿などの食器が汚れることがない。
【図面の簡単な説明】
【０００７】
【図１】  本発明の斜視図
【図２】  本発明の使用状態を示す斜視図
【発明を実施するための形態】
【０００８】  以下、本発明の実施の形態を説明する。
（イ）線状からなる三角形状の台座（１）のひとつの角をＶ字形状の挟持部（２）とする。
（ロ）台座（１）の挟持部（２）と反対側に位置する辺の片側に、Ｉ字形状の脚部（３）を設ける。このとき脚部（３）は、台座（１）の挟持部（２）の方向に傾けた状態で立たせる。
（ハ）脚部（３）の上部に、中心部が下側に湾曲した支持部（４）を設ける。
（ニ）支持部（４）の端部に、Ｉ字形状の腕部（５）を設ける。
（ホ）腕部（５）の支持部（４）とは反対側の端部に、中心部が上側に湾曲した保持部（６）を設ける。保持部（６）は、支持部（４）と平行になる位置で、かつ支持部（４）よりも高い位置に設ける。
本発明は以上のような構造である。
【０００９】  本発明を使用するときは、台座（１）のＶ字形状の挟持部（２）の内側に、鍋（７）のふた（８）のつまみ部（９）に引っ掛けるように装着する。
お玉（１０）は、支持部（４）の下側に湾曲した部分に横から挿入するように載せ、お玉の柄部（１１）を、保持部（６）の上側に湾曲した部分で押さえる。このとき、お玉（１０）の重心は、支持部（４）に対して保持部（６）と反対側に位置させる。
保持部（６）は、支持部（４）よりも高い位置にあるため、支持部（４）が支点となり、保持部（６）で押さえることで、お玉（１０）を支えることができる。また、支持部（４）と保持部（６）の中心部がそれぞれ湾曲していることで、お玉（１０）が左右に落ちない構造になっている。
フライパンのようにふたのない場合は、脚部（３）が台座（１）の挟持部（２）の方向に傾けた状態で立たせていて、重心が台座（１）の中心付近にあるため、調理台の上に置いても安定し、使用することも可能である。
【符号の説明】
【００１０】  （１）台座、（２）挟持部、（３）脚部、（４）支持部、（５）腕部、（６）保持部、（７）鍋、（８）ふた、（９）つまみ部、（１０）お玉、（１１）柄部
【図１】
2011139880.tif 000003
【図２】
2011139880.tif 000004
(57)【要約】      （修正有）【課題】何処の寝たきりの病人等を介護する現場でも、病人ご本人にとっても介護する側にとっても糞尿に依る悪臭は健康上著しく、へいがいをもたらしております。寝たきり同然の人達にとって布団の重みで足首から先が伸びてしまい立てなくなる原因にもなっています。換気を重要視されたナイチンゲールの時代から解決されているとは言えません。又、布団の重みに依る足首の先の伸びてしまう弊害に対しても、手は打たれておりません。【解決手段】フード状の防護カバー１を局所的な換気・温湿度調整等３のフードに兼用する。【選択図】図１
2011139874.tif 000002
【特許請求の範囲】
【請求項１】
寝たきりの病人等の方々の為に、布団の重みで足首から、つま先が、真っ直ぐになってしまうのを防ぎ、且つ糞尿等の悪臭で病人や介護者も、健康上からも環境上からも経済性からも、足元にフード状の防護カバー（１）を設置して、その防護カバーにチューブで接続した熱交換形換気扇（３）を付加する。
【請求項２】
足元のフード状のカバー（１）に熱交換形換気扇（３）接続の為のチューブ（２）をそれぞれのプラグ（４）に取り付ける。
外壁側には熱交換形換気扇（３）を取り付け、プラグ（４）を介してチューブ（２）を接続する。
【請求項３】
熱交換形換気扇（３）の外部のフード（９）の中には、給排気がミックスしない為に外部フード内に風向を左右に分けるＶ字型の仕分け板（８）を設置する。
【発明の詳細な説明】
【技術の分野】
福祉機器分野
【技術の背景】
寝たきりの病人等と介護者の健康・快適さの為に必要な局所的、温湿度調整機能等付き換気が無視されて来ている現状への解決が求められています。
【発明の開示】
【発明が解決しようとする課題】寝たきりの病人等が布団の重みで足首から先が伸びてしまう事を防ぐ。又、糞尿の悪臭で環境破壊を著しく改善する事が求められています。
【課題を解決する為の手段】
足元にフード状のカバーを設置して、その上から布団をかける。カバーを利用して局所的換気・温湿度調整等を行う。
【発明の効果】
フード状の防護カバーで、布団の重みに依る足首から先が伸びてしまうのが防げます。
フード状のカバーに換気・温湿度調整等の機能を付加する事で局所的換気・局所的温湿度調整等が経済的にも可能となります。
【発明を実施する為の最良の形態】
布団の重みで足首から先が伸びてしまう危険を、図面に示す形態のフード状のカバー（１）で防御が可能になり、更にカバーは経済的な局所換気・温湿度調整等をダクト・チューブ（２）で温湿度調整機能等付きの、外壁側の機器（３）と接続する事で可能となり、経済的な室内環境に貢献出来ます。
【図面の簡単な説明】
【図１】斜視図
【図２】立面図
【図３】熱交換形換気扇用の外部フード内の断面図
【図４】背面図
【図５】断面図
【図６】正面図
【符号の説明】  １    フード状カバー
２    ダクト・チューブ
３    換気・温湿度調整機能等付き機器
４    ダクト・チューブ接続用プラグ
５    換気等のショートサーキットを防ぐ噴出しダクト
６    同上の吹き出し口
７    カバー内の吸気孔・ダクトチューブに接続されている
８    熱交換形換気扇用の外部フード
９    熱交換形換気扇用の外部フード内の風向Ｖ字型仕分板
１０    ベッドの布団
【図１】
2011139874.tif 000003
2011139874.tif 000004
【図４】
2011139874.tif 000005
【図５】
2011139874.tif 000006
【図６】
2011139874.tif 000007
【手続補正書】
【提出日】平成22年2月22日(2010.2.22)
【手続補正１】
【補正対象書類名】図面
【補正対象項目名】全図
【補正方法】変更
【補正の内容】
【図１】
2011139874.tif 000008
【図２】
2011139874.tif 000009
【図３】
2011139874.tif 000010
【図４】
2011139874.tif 000011
【図５】
2011139874.tif 000012
【図６】
2011139874.tif 000013
(57)【要約】      （修正有）【課題】永久磁石式モーター、発電機の生産に於いて磁石の磁力が強力なため、磁石の組込み製造は困難を極めている。【解決手段】永久磁石式モーター、発電機の磁石形状を回転方向に対して入口側で薄く、出口側で厚くする。【選択図】図１
2011139615.tif 000002
【特許請求の範囲】
【請求項１】
本発明は、永久磁石式モーター、発電機の磁石形状を回転方向に対して入口側で薄く、出口側で厚く形状変更することにより磁束の切断を容易になりローター回転スタート時のコッキングを無くしスムーズに回転を立ち上げることができる、また、磁石形状の変更によってモーター、発電機の生産性、モーターのトルク及び発電機の発電容量を向上させることが出来る。
【発明の詳細な説明】
【技術分野】
【０００１】  本発明は発電機及びモーターの永久磁石ローターの磁石形状を、回転方向入口側、出口側で変えることにより、モーターにおいてはトルクの増加、発電機においては発電容量の増加を可能とする。
【発明の概要】
【発明が解決しようとする課題】
【０００２】  磁石式モーター、発電機に於いて磁石の磁力が強いため磁石の長さが制限され、製品を小さくすることが出来ず、生産に於いても磁石の組込みが著しく困難であり、磁石の問題は今でも避け通れないのが現状である。
【問題を解決するための手段】
【０００３】  磁石式モーター、発電機の永久磁石ローターに取付ける磁石の形状を、回転方向入口側で薄く、出口側で厚くする。
【発明の効果】
【０００４】  回転方向に対し入口側、出口側で磁石の厚さを変えることによって、製品の生産が容易になり製品の小型化が可能となる、またモーター、発電機の性能の向上が図れる。
【図面の簡単な説明】
【０００５】  磁石断面図及び、８ポールモーターのローターへの磁石取付け図である。
【産業上の利用の可能性】
【０００６】  永久磁石ローターを使用したあらゆる産業、製品に利用することが出来る。
【符号の説明】
【０００７】  １．磁石断面
２．磁石ローター取付け図
【図１】
2011139615.tif 000003
(57)【要約】【課題】ハナビラタケ、その他の茸栽培の培地を多孔物質に含有させて得る液体、顆粒、粉末の製造法は，高額な設備投資を押さえ、比較的簡単な装置を用い、常温作業、攪拌混合技術でもって大量生産することができ、諸効果のあることを特徴とした。【解決手段】本発明は、上記諸課題を解決し、地域の天然資源を活用することにより地域事業を育成し、さらに地域の産業開発となる。【選択図】なし【特許請求の範囲】
【請求項１】
唐松の熱分解液を茸の培地に含有させて得たことを特徴とする茸培地の製造方法。
【請求項２】
唐松の熱分解液を珪藻土の一定焼成粉末に含有させて得たことを特徴とする茸培地の製造方法。
【請求項３】
唐松の熱分解液を貝殻の一定焼成顆粒に含有させて得ことを特徴とする茸培地の製造方法。
【請求項４】
唐松の熱分解液を貝殻の一定焼成粉末に含有させて得たことを特徴とする茸培地の製造方法。
【請求項５】
前記、唐松、唐松以外の針葉樹、広葉樹を常温状態で請求項の１から５を用途に応じて比率含有攪拌混合を特徴とした植物の熱分解顆粒、植物の熱分解粉末の製造を特徴とする茸培地の製造方法。
【請求項６】
同様にて液状物質を珪藻土、貝殻、澱粉等に含ませて顆粒、粉末に含有反応させることにより、同等の成果を得ることを特徴とし、本趣旨を逸脱しない範囲の変更は、本発明に含まれる茸培地の製造方法。
【発明の詳細な説明】
【技術分野】
【０００１】本発明は、ハナビラタケ、その他茸栽培に関し、唐松、針葉樹、広葉樹を煮沸抽液の培地製造することを特徴とし、その成分は、木酢液に、化学組成が類似しており、機能性においても類似した機能が期待できる。植物の熱分解液体物質、顆粒物質、粉末物質の利便性に関するものである。
【背景技術】
【０００２】茸栽培には、原木栽培、オガ粉に栄養添加とした菌床栽培方法を実施している。
【発明の開示】
【発明が解決しようとする課題】
【０００３】前記従来、原木培地は液体のまま用いられてきたが、液体の場合は，高額の容器、設備投資を要しているが、本発明の、顆粒、粉末加工によって簡単、確実、しかも添加、混合、攪拌攪が一体型でもって効果が得られる。【０００４】本発明は、このような実状に鑑みなされたものであり，液体物質を微細な気孔に保持させる技術開発でその提供を目的とする。
【課題を解決するための手段】
【０００５】課題を解決するため、本発明技術は、有効成分を天然物質の多孔質構造に活用を図ったことによってハナビラタケ、その他の茸栽培に合理的構成が得られ、この発明に到達した。
【発明の効果】
【０００６】以上のように、本発明技術は、唐松の大自然の森林に浴したハナビラタケの公知の希少な栽培方法が、安全、安心の有効成分を無駄なく発揮するのを目的とする。他の茸栽培においても過大な設備、高額な操作技術を要せず主地域資源の利用技術を地域産業に貢献をする。【０００７】天然素材の有用な特徴と細孔部の活用は、吸着保持効果に優れた用材を得ることができた。【０００８】ハナビラタケ、その他の茸栽培は、多孔質に液体物質を含有させることにより、安定、安全しかも経済性に優れた実用  用材ができた。しかも、天然資源の活用から安定供給ができ、規模の自在設定ができることを特徴とする。
【発明を実施するための最良の形態】
【０００９】本発明は、ハナビラタケその他の茸栽培を珪藻土の焼成顆粒、粉末メッシュ、貝殻を焼成顆粒、粉末メッシュ、その他の多孔質素材を活用し、目詰まりのない特性吸着効果を得る。【００１０】上記技術でもって、液体物質の固定化が容易に出来ることを特徴とした。
【産業上の利用可能性】
【００１１】本発明のハナビラタケ、その他の茸栽培方法は、自然環境に育まれ、生産コストを抑えたのもとでの液体物質、固形物質、粉末物質に成形処理をする製造方法は、茸栽培の合理化ならびに作業能率に関する。
(57)【要約】      （修正有）【課題】毎日、混ぜなくてはならないぬか床の面倒な作業を無くすこと。また、従来のぬか床は毎日混ぜないと、漬けた野菜からでる水分の増加によって、乳酸菌や酪酸菌、産膜酵母等の増加によって、酸味と悪臭が増える。それを改善するぬか床を提供する。【解決手段】醗酵・熟成させたぬか床を乾燥させ、ぬか床の水分を無くすことで、酸味や悪臭をなくし、またカビなどの雑菌繁殖も減らすことができる。【効果】十分に熟成乾燥したぬか床６０ｌを１ヶ月間、自然乾燥させ、さらに常温で３ヶ月間、密閉保存後、２００ｇを取り出し、洗ったナス（半割り）２本、キュウリ２本、ニンジン２本にまぶし漬け込んだ結果、常温２５℃で１０時間〜２０時間で熟成したぬか漬物が出来た。その漬物を洗い、一口大に切り、皿に盛り付け、上からラップフィルムをして、冷蔵庫で一週間保管し、試食してみたが、味も色も一週間前と変わらず、日持ちすることが証明された。【選択図】なし【特許請求の範囲】
【請求項１】
醗酵・熟成させた米ぬかその他材料を乾燥させたぬか床。
【発明の詳細な説明】
【発明の詳細な説明】
【産業上の利用分野】
【０００１】この発明は、醗酵・熟成させた米ぬかその他材料を乾燥させた、ぬか床に関するものである。
【背景技術】
【０００２】従来のぬか床は水分を含んでおり、野菜を漬けることによりさらに水分が増えると、酸素が不足し、乳酸菌や酪酸菌、産膜酵母菌等が増え、悪臭や酸味の強いぬか漬けができる。そのため、毎日混ぜないとぬか漬の味、風味が損なわれる原因となっていた。
【発明が解決しようとする課題】
【０００３】従って、本発明はその欠点をなくすため、醗酵・熟成させたぬか床の水分をなくし、乾燥させることで余分な乳酸菌や酪酸菌、酸膜酵母の増殖を防ぐことができ、熟成したぬか床を簡便、即席に提供することである。
【課題を解決しようとする手段】
【０００４】本発明は、玄米麹、きな粉、ミネラルに黒糖液１０に対し、米糠汁１を加え、３７℃で２４時間培養したものをいりぬかと水分を加え攪拌し醗酵させる。醗酵期間は、常温で１５日間醗酵させる。但し、５日ごとに切り返しを３回行う。甘酸っぱい匂いがすると醗酵が完了する。
その醗酵したぬか床をさらに２〜３週間熟成させ、水分を無くすため、この醗酵・熟成ぬか床を乾燥機または自然乾燥させる。
乾燥されたぬか床でも、従来のぬか漬と同じようにぬか漬ができ、酸味の少ない、日持ちのするぬか漬ができることを発見した。
【発明の効果】
【０００５】毎日、混ぜなくてよい。野菜類、キュウリ、ダイコン、ニンジン等やゆで卵、ボイルした鶏のササミ等に乾燥ぬか床をまぶすだけで、ぬか漬けができ、乾燥しているため、手にぬかがつきにくく、衛生的。水分が増えたら、乾燥させ、繰り返し利用でき、安価で経済的である。
【図面の簡単な説明】
【図１】本案の醗酵層
【図２】本案のぬか床醗酵内容物
【符号の説明】１．  醗酵層
２．  蓋
３．  米糠
４．  醗酵物（玄米麹、大豆粉、ミネラル、黒糖水、米糠汁）
５．  食塩
６．  水
【図１】
2011139696.tif 000002
【図２】
2011139696.tif 000003
(57)【要約】【課題】地震時において棚内収納物の飛散を防止する。【解決手段】棚上に横たえた落下蓋1の前方左右と後方左右にローラー３とローラー２を設け、該ローラー３の半身で落下溝６の上部に掛け渡して留め置き地震時の揺れで突き放されると該ローラー３が落下溝６に沿って落ち込み該落下蓋１を閉ざして棚内の収納物を保護する飛び出し防止棚。【選択図】図１
2011139741.tif 000002
【特許請求の範囲】
【請求項１】
棚上部に横たえた落下蓋１の前後の左右に回転ローラー２と回転ローラー３を設け地震時の揺れで前側の落下溝６に該ローラー３が落ち込み該落下扉１を閉ざし棚内の収納物を保護する飛び出し防止棚。
【発明の詳細な説明】
【技術分野】
【０００１】
飛び出し防止棚に関する。
【背景技術】
【０００２】
従来の開放型商品陳列棚は地震時に於いて物が飛び出し散乱していた。
【先行技術文献】
【特許文献】
【０００３】
【特許文献１】特許公開平１１−１９６９５４
【発明の概要】
【発明が解決しようとする課題】
【０００４】
これまでの開放型の商品棚や本棚などの陳列棚では地震時に物が飛び出して散乱することが多かった。
【課題を解決するための手段】
【０００５】
落下蓋１が棚上に横たわって揺れた時前方の落下溝６に該落下蓋１の回転ローラー３が嵌まり込み落下して収納物の飛び出しを防止する。
地震が止まり通常の状態になった後該落下蓋１先端の隙間7に手を入れて持ち上げると元の状態に治まり次の地震に備える。
因みに該落下蓋１は布や網又は板等を用いて構成しても良い。
【発明の効果】
【０００６】
本発明の飛び出し防止棚はその落下蓋１前方が振動で瞬時に揺さぶり降ろされて物の飛び出しを防ぐ。
【図面の簡単な説明】
【０００７】
【図１】実施形態を示す平常時の状態斜視図
【図２】実施形態を示す地震時の状態斜視図
【発明を実施するための形態】
【０００８】
落下蓋１前方両横に回転ローラー３と後方両横に回転ローラー２を設け該落下蓋１を棚上に横たわらせ該回転ローラー３の位置する部所の側面に該回転ローラー３の落下溝６を下に向けて設け、その上端に該回転ローラー３を半身で掛け渡し、揺れた時該ローラー３が該落下溝６に落下して嵌り該落下蓋１を閉ざし棚内の収納物を保護する。
また上辺ガイド面５の奥側から手前側に向けて下り勾配を付け落下蓋１の後部左右に回転ローラー２を設けて該落下蓋１を動き易くすると共に停止する該回転ローラー２の下側部所に微かな窪みを設け該落下蓋１を留めると共に僅かな振動で該落下蓋１が動き落下するようにする。
因みに落下蓋１の落下時に下方に隙間７が形成されるので手を挟み込むことは無い。
地震が過ぎて通常の状態になった後落ち込んだ該落下蓋１の前方（下方）に形成される隙間７に手を入れて持ち上げると元の状態に戻り通常状態に治まり次の地震に備える。
【産業上の利用可能性】
【０００９】
本発明に係る飛び出し防止の装置はあらゆる開放型の棚に応用でき、新設の棚台や既存の棚台に簡単な落下溝６の部品と落下蓋１の前後に回転ローラー２と回転ローラー３を設けることで飛び出し防止棚を容易に構成する事が出来る。
【符号の説明】
【００１０】
１ 落下蓋
２ ローラー２
３ ローラー３
４ 窪み
５ 上辺ガイド面
６ 落下溝  
７ 隙間
【図１】
2011139741.tif 000003
【図２】
2011139741.tif 000004
【手続補正書】
【提出日】平成22年1月12日(2010.1.12)
【手続補正１】
【補正対象書類名】明細書
【補正対象項目名】全文
【補正方法】変更
【補正の内容】
【発明の詳細な説明】
【技術分野】
【０００１】
飛び出し防止棚に関する。
【背景技術】
【０００２】
従来の開放型商品陳列棚は地震時に於いて物が飛び出し散乱していた。
【先行技術文献】
【特許文献】
【０００３】
【特許文献１】特許公開平１１−１９６９５４
【発明の概要】
【発明が解決しようとする課題】
【０００４】
これまでの開放型の商品棚や本棚などの陳列棚では地震時に物が飛び出して散乱することが多かった。
【課題を解決するための手段】
【０００５】
落下蓋１が棚上に横たわって揺れた時前方の落下溝6に該落下蓋１のローラー３が嵌まり込み落下して収納物の飛び出しを防止する。
地震が止まり通常の状態になった後該落下蓋１の先端に形成される隙間７に手を入れて持ち上げると元の状態に治まり次の地震に備える。
因みに該落下蓋１は布や網又は板等を用いて構成しても良い。
【発明の効果】
【０００６】
本発明の飛び出し防止棚はその落下蓋１前方が振動で瞬時に揺さぶり降ろされて物の飛び出しを防ぐ。
【図面の簡単な説明】
【０００７】
【図１】実施形態を示す平常時の状態斜視図
【図２】実施形態を示す地震時の状態斜視図
【発明を実施するための形態】
【０００８】
落下蓋１前方両横にローラー３と後方両横にローラー２を設け該落下蓋１を棚上に横たわらせ該ローラー３の位置する部所の側面に該ローラー３が落下する落下溝6を上から下に向けて設け、その上端に該ローラー３を半身で掛け渡し、揺れた時該ローラー３が該落下溝６に落下して嵌り該落下蓋１を閉ざし棚内の収納物を保護する。
また上辺ガイド面5の奥側から手前側に向けて下り勾配を付け（平面でも良い）落下蓋１の後部左右にローラー２を設けて該落下蓋１を動き易くすると共に奥側で停止する該ローラー２の下側部所に微かな嵌り窪み４を設け該落下蓋１を留めると共に僅かな振動で該落下蓋１が動き落下するようにする。
因みに落下蓋１の落下時下方に隙間７が形成されるので手を挟み込むことは無い。
地震が過ぎて通常の状態になった後落ち込んだ該落下蓋１の前方（下方）に形成される隙間7に手を入れて持ち上げると元の状態に戻り通常状態に治まり次の地震に備える。
【産業上の利用可能性】
【０００９】
本発明に係る飛び出し防止の装置はあらゆる開放型の棚に応用でき、新設の棚台や既存の棚台に落下溝６と上辺ガイド面５を設けて落下蓋１の前後にローラー２とローラー３を付けることで容易に飛び出し防止棚を構成する事が出来る。
【符号の説明】
【００１０】
１ 落下蓋
２ ローラー２
３ ローラー３
４ 窪み
５ 上辺ガイド面
６ 落下溝
７ 隙間
【手続補正２】
【補正対象書類名】特許請求の範囲
【補正対象項目名】全文
【補正方法】変更
【補正の内容】
【特許請求の範囲】
【請求項１】
棚上部に横たえた落下蓋１の前後左右にローラー３とローラー２を設け地震時の揺れで前側の落下溝６に該ローラー３が落ち込み該落下蓋１を閉ざし棚内の収納物を保護する飛び出し防止棚。